(57)【要約】【課題】侵入に手間がかかり侵入盗被害の防止に効果的で安価な補助ロック付窓の提供を目的とする。特に、室外から施錠部分を見えなくし、ガラスを破る部位がわからないようにすることにより、侵入に要する時間が大幅にかかることになり、侵入をあきらめさせるようにしたものである。【解決手段】窓は、枠と、一側を枠または枠に沿って移動するスライダーに軸着して、少なくとも他側が室外側に開放する障子と、補助ロックとを備え、補助ロックは台座とロック部とを備え、ロック部は室内外方向の軸により起倒自在に又は、障子が室外側に開放する側の枠方向にスライド自在に台座に取り付け、障子の他側である戸先框には戸先框室内側側面の枠よりに凹部を設け、補助ロックはこの戸先框の凹部に取り付けてあり、枠は内周側に突出する係止突片を有し、ロック部を枠側に倒した状態またはスライドした状態でロック部が枠の係止突片の室内側に係止する。【選択図】  図１
2005344399.tif 000002
【特許請求の範囲】
【請求項１】
枠と、一側を枠または枠に沿って移動するスライダーに軸着して、少なくとも他側が室外側に開放する障子と、補助ロックとを備え、
補助ロックは、台座とロック部とを備え、
ロック部は、室内外方向の軸により起倒自在に、又は、障子が室外側に開放する側の枠方向にスライド自在に、台座に取り付け、
障子の他側である戸先框には、戸先框室内側側面の枠よりに凹部を設け、補助ロックはこの戸先框の凹部に取り付けてあり、
枠は、内周側に突出する係止突片を有し、
ロック部を枠側に倒した状態またはスライドした状態でロック部が枠の係止突片の室内側に係止していることを特徴とする窓。
【請求項２】
枠と、一側を枠に軸着して他側が開放する障子と、補助ロックとロック受けを備え、
補助ロックは、台座と係止爪とを備え、
係止爪は室内外方向の軸により起倒自在に台座に取り付け、
ロック受けは、上向き係止爪を有し、上向き係止爪を枠の内周側に突出するように枠に、または上向き係止爪を枠に向かって突出するように戸先框に取り付け、補助ロックは、ロック受けの上向き係止爪と対向する位置で戸先框または枠に取り付け、補助ロックの係止爪を倒した状態で、係止爪がロック受けの上向き係止爪と係合し、戸先框には、戸先框室内側側面の枠よりに凹部を設けたことを特徴とする窓。
【発明の詳細な説明】
【技術分野】
【０００１】
本発明は、窓に関し、特にその防犯装置に係る。
【背景技術】
【０００２】
従来の開き窓は、ハンドルによる締め拘束により施錠する。
しかし、例えば図１４に示すように室外からガラス越しに障子１０に取り付けてあるハンドル型錠３０のハンドル部３１が見えるため、ハンドル付近のガラスを破ることにより簡単に解錠されてしまう。
【０００３】
特に、最近では玄関ドアにおいてさえ、ピッキング、サムターンまわし等の極めて荒っぽい侵入盗犯罪が多発していて、窓の防犯対策も急務となっている。
警察庁によると、住宅における侵入盗被害は増加の一途をたどり、発生件数は２００２年で前年比１７％増の約１８万件を数え、１０年前の１．５倍に増えている。
侵入の手口で最も多いのが窓からであり、侵入盗はサッシのガラスを破って解錠し、侵入している。
財団法人都市防犯研究センターのデータによれば、侵入者が嫌うのは侵入に時間がかかることであり、侵入に２〜５分かかると約７０％が犯行をあきらめるとの報告がある。
【０００４】
窓からの侵入を防ぐ手段として、ガラスを破れないようにした合わせガラスが提案されている。
しかし、防犯性は高いものの高価であり場合によってはサッシ本体よりも高く、市場における採用度は低い。
【０００５】
特開２００４−３６２８１号公報には、強引にこじ開けられて窓が破壊されるのを防止した補助錠を開示するが、構造は複雑で施工性に劣る。
【０００６】
【特許文献１】特開２００４−３６２８１号公報
【発明の開示】
【発明が解決しようとする課題】
【０００７】
本発明は上記背景に鑑みて、侵入に手間がかかり侵入盗被害の防止に効果的で安価な補助ロック付窓の提供を目的とする。
特に、室外から施錠部分を見えなくし、ガラスを破る部位がわからないようにすることにより、侵入に要する時間が大幅にかかることになり、侵入をあきらめさせるようにしたものである。
【課題を解決するための手段】
【０００８】
請求項１記載の発明に係る窓は、枠と、一側を枠または枠に沿って移動するスライダーに軸着して、少なくとも他側が室外側に開放する障子と、補助ロックとを備え、補助ロックは、台座とロック部とを備え、ロック部は、室内外方向の軸により起倒自在に、または、障子が室外側に開放する側の枠方向にスライド自在に、台座に取り付け、障子の他側である戸先框には、戸先框室内側側面の枠よりに凹部を設け、補助ロックはこの戸先框の凹部に取り付けてあり、枠は、内周側に突出する係止突片を有し、ロック部を枠側に倒した状態またはスライドした状態でロック部が枠の係止突片の室内側に係止していることを特徴とする。
【０００９】
ここで、一側を枠に軸着して他側が室外側に開放する障子とは、左右方向又は上下方向の開き窓をいい、一側を枠に沿って移動するスライダーに軸着して少なくとも他側が室外側に開放する障子とは、いわゆる、すべり出し窓をいう。
【００１０】
障子の戸先框には、戸先框室内側側面の枠よりに凹部を設けるとは、障子の戸先框の室内側にくぼみ等の凹部を形成して、補助ロックを室外側からガラス越しに見えなくする隠蔽作用を得る趣旨である。
従って、補助ロックを取り付ける凹部を形成する手段としては、戸先框室内側に取り付ける補助ロックより障子中央側寄りに、戸先框から室内側に突出する突出部を形成したり、カバー部材を配設する方法が例として挙げられる。
【００１１】
枠は内周側に突出する係止突片を有しとは、障子の戸先框側を開こうとする動きを補助ロックのロック部と係合して係止するための突片を有するという趣旨である。
従って、枠の内周側に突出する係止突片は、アルミ押出形材により一体的に形成しても別部品を枠側に取り付けてもよい。
【００１２】
請求項２記載の発明に係る窓は、枠と、一側を枠に軸着して他側が開放する障子と、補助ロックとロック受けを備え、補助ロックは、台座と係止爪とを備え、係止爪は室内外方向の軸により起倒自在に台座に取り付け、ロック受けは、上向き係止爪を有し、上向き係止爪を枠の内周側に突出するように枠に、または上向き係止爪を枠に向かって突出するように戸先框に取り付け、補助ロックは、ロック受けの上向き係止爪と対向する位置で戸先框または枠に取り付け、補助ロックの係止爪を倒した状態で、係止爪がロック受けの上向き係止爪と係合し、戸先框には、戸先框室内側側面の枠よりに凹部を設けたことを特徴とする。
【００１３】
ここで、窓は枠と一側を枠に軸着して他側が開放する障子と、補助ロックとロック受けとを備えるとは、枠又は障子のどちらかに補助ロックを取り付け、それに対向して反対側の障子又は枠にロック受けを備え、補助ロック（係止爪）とロック受け（上向係止爪）を係合することで施錠する趣旨で、戸先框の室内側に凹部を形成して、外部からガラス越しにこれら補助ロック及びロック受けの取り付け位置を見えなくしたものである。
従って、戸先框室内側側面の枠よりに設けた凹部に、上記、補助ロック又はロック受けを収納することになるが、戸先框側にロック受けを設ける場合には、戸先框内部方向に取り付けてもよい。
なお、外部からガラス越しにこれら補助ロック及びロック受けの取り付け位置を見えなくする場合に、補助ロックを取り付けるための台座を、戸先框室内側面長手方向に沿って任意の位置に取り付けるのが良い。
【発明の効果】
【００１４】
本発明においては、室外側から補助ロックが見えないように戸先框室内側に凹部を形成したため、仮にハンドル操作にて錠を解錠しても何故窓が開かないのか分からなくなり、気があせり、侵入をあきらめることが期待できる。
【発明を実施するための最良の形態】
【００１５】
本発明に係る窓は、障子の一の側を枠に取り付け、あるいは枠に沿って移動するスライダーに軸着し、他の側を開放するものであれば、外倒し、突き出し、すべり出し等の型式に限定されることなく各種窓に適用できる。
以下、その代表例を図に基づいて説明する。
【００１６】
本願発明を適用した開き窓の縦断面図を図２に、横断面図を図３に示し、それぞれ（イ）がハンドル式錠３０及び補助ロックの施錠状態を示し、（ロ）がその解錠状態を示す。
また、図１に補助ロック部分の部分拡大斜視図を示す。
【００１７】
躯体の開口部に、図３に示すように戸先框側縦枠２１と吊り元側縦枠２２及び図２に示すように、上枠２３と下枠２４で枠体を形成している。
枠体には、障子１０を開き窓として取り付けている。
障子１０は、図３に示すように戸先框１１と吊り元框１２及び図２に示すように、上框１３と下框１４とで障子枠を形成し、枠内にガラス等のパネル１５を装着している。
【００１８】
障子１０の一の側は、図３に示すように縦枠（吊り元側縦枠）２２にヒンジ１６等を用いて軸着してあり、戸先框１１側が図１に示す矢印方向に開くようになっている。
また、障子１０と枠体との間には気密性、水密性を確保するために、それぞれタイト材２１ａ、２２ａ、２３ａ、２４ａを取り付けている。
開き窓等には、通常ハンドル３１の操作にて開閉するハンドル型錠３０を取り付けている。
本発明においては、このハンドル型錠３０等の従来から使用している開閉錠の他に補助ロック４０を取り付けた点にある。
従って、ハンドル型錠３０に限定する趣旨ではない。
また、図２に示した例では、補助ロック４０を上下二箇所に取り付けてあるが、二つに限定する趣旨ではなく、例えば図１にて説明すると、戸先框１１の室内側に突出部１１ｂを設けて凹部１１ａを形成し、その任意の高さに台座４１を係止することで、補助ロック４０を取り付けることができ、その数には制限がない。
【００１９】
次に、この補助ロック４０の構造例を順次説明する。
図１に補助ロック４０の実施例の斜視図を示し、図４に正面図及び立面図を示す。
この図１と図４に基づいて説明すると、障子１０の戸先框１１側には、その室内側に補助ロック４０を取り付ける。
この補助ロック４０は、台座４１とロック部４３を備え、ロック部４３は室内外方向の軸４２により起倒自在に、この台座４１に取り付けてある。
台座４１は、アルミ押出形材等で製作し、戸先框に凹部を形成するための室内側への突出部１１ｂの任意の高さに、ビス等の係止部材４１ａで取り付けてある。
一方、補助ロックと対向する位置の枠の見込み面に、内周側に突出するロック受け４４をビス等の係止部材４４ｂを用いて取り付けてある。
このロック受け４４には、上向き係止爪４４ａを備えている。
【００２０】
枠側には、その枠の見込み面に内周側に突出する係止突片２１ｂを有するので、つまみ部４３ａを操作して、ロック部４３を図１では右方向に倒すと枠の係止突片２１ｂに係止し、補助ロックを施錠できる。
その時の立面図を図４（ロ）に示し、障子を開けようとすると補助ロックのロック部係止爪４３ｂが枠側の係止突片２１ｂの室内側に当たることになる。
【００２１】
図５には、ロック部がスライド式になっているタイプの実施例を示す。
戸先框１１の室内側の任意の高さに台座１４１を取り付けて、ロック部１４３が左右にスライドするように形成してある。
図５（ロ）の立面図に示すように、つまみ部１４３ａを操作し、ロック部を図５では右側にスライドすることで、ロック部１４３の係止爪４３ｂが枠の係止突片２１ｂの室内側に当たる。
逆に、ロック部１４３を左側にスライドすると、係止爪１４３ｂが後退し、係止突片２１ｂに干渉しなくなり補助ロックが解錠する。
【００２２】
図６には、補助ロック５０の台座５１を枠側に取り付け、この補助ロック５０の係止爪５３が戸先框１１の室内側に取り付けたロック受け５４に係止する例を示す。
この場合に、ロック受け５４は戸先框側に取り付け、この上向き係止爪５４ａと補助ロック５０の係止爪５３が係合することで、障子が開くのを係止することになる。
なお、図６に示す例の場合には、戸先框１１が図６（ロ）立面図で上の方向に開くのを係止する方向に上向き係止爪５４ａが備えられている。
【００２３】
図７に、補助ロックの係止爪が戸先框内部から突出するタイプの実施例を示す。
台座１５１をビス等の係止部材１５１ａにて戸先框の室内側に取り付ける。
この台座１５１には、軸１５２にて室内側のつまみ部１５３ａと戸先框内部側の係止爪１５３とを軸着している。
この補助ロックの係止爪１５３に対向する位置の縦枠２１側に、ロック受け１５４をビス等にて取り付ける。
施錠状態では図７（イ）正面図及び（ロ）立面図に示すように、補助ロックの係止爪１５３とロック受け１５４側の上向き係止爪１５４ａが係合して障子の開きを係止している。
【００２４】
図８に補助ロックの係止爪を枠側に、ロック受け側を戸先框内部に向けて設けた場合の実施例を示す。
この場合に、補助ロックは台座２５１を用いて枠（戸先框側縦枠）２１の見込み方向の内周面から障子側に係止爪２５３が突出するように取り付ける。
ロック受け２５４は、補助ロックの係止爪２５３の先端部を呑み込むように戸先框側に取り付けている。
この場合には、凹部状の上向き係止爪２５４ａと補助ロックの係止爪２５３と係合する。
【００２５】
本発明にては図９に示すように、戸先框の室内側で補助ロックより障子中央側に室内側に向けた突出部１１ｂを形成したので、室外側の外部からはａ、ｂ、ｃのどの位置に立っても補助ロックが見えない。
そこで図１３に示すように、何故ハンドル錠３０を解除しても窓が開かないのか分からず、気があせり、侵入をあきらめることが期待できる。
【００２６】
図１０〜図１２には、本発明に係る窓をすべり出し窓に適用した例を示す。
図１０に示す例は、上下方向にすべり出す窓の例であるが、左右方向にすべり出す窓も同様に本発明が適用できる。
図１１は、すべり出し窓の縦断面図、図１２はその横断面図を示す。
本明細書の記載としては、このすべり出し窓の例の場合に、障子１０ｂの開放側である框が戸先框１１１となり、框１１２、１１３、１１４にて障子枠を形成する。
また、枠１２１、１２２、１２３、１２４にて開口枠を形成し、障子の戸先框１１１側の枠１２４にロック受け３５４を取り付ける。
戸先框１１１の室内側には、突出部１１ｂを形成し、その枠側の凹部に台座３５１を取り付け、軸３５２で係止爪３５３を軸着している。
これにより、突出部１１ｂが補助ロックを隠蔽し、室外側から補助ロックの位置が見えず、防犯性が向上する。
【図面の簡単な説明】
【００２７】
【図１】本発明に係る補助ロック付窓の例のロック部を示す。
【図２】本発明に係る窓の縦断面を示し、（イ）が施錠状態で、（ロ）が解錠状態である。
【図３】本発明に係る窓の横断面を示し、（イ）が施錠状態で、（ロ）が解錠状態である。
【図４】補助ロック部拡大図を示す。
【図５】スライド式の補助ロックの例を示す。
【図６】補助ロックが枠を取り付けた例を示す。
【図７】補助ロックの係止爪が戸先框内部より突出する例を示す。
【図８】補助ロックが枠に取り付けられ、ロック受けを戸先框内部に向けて取り付けた例を示す。
【図９】補助ロックが外部から見えない状態を示す。
【図１０】すべり出し窓に本発明を適用した例を示す。
【図１１】すべり出し窓の縦断面図を示す。
【図１２】すべり出し窓の横断面図を示す。
【図１３】補助ロックの効果を示す模式図を示す。
【図１４】従来の窓の例を示す。
【符号の説明】
【００２８】
１０、１０ａ    障子
１１    戸先框
１１ａ  補助ロックを取り付ける凹部
１１ｂ  突出部
１２    吊り元框
１３    上框
１４    下框
１５    パネル（ガラス）
１６    ヒンジ
２１    枠（戸先側枠）
２１ａ  タイト材
２１ｂ  係止突片
２２    枠（吊り元側枠）
２２ａ  タイト材
２３    上枠
２３ａ  タイト材
２４    下枠
２４ｂ  係止突片
２４ａ  タイト材
２５    スライダー
３０    ハンドル式錠
３１    ハンドル
４０、５０    補助ロック
４１、５１    台座
４１ａ  台座の係止部材
４２    軸
４３    ロック部
４３ａ  つまみ部
４３ｂ  補助ロックの係止爪
４４    ロック受け
４４ａ  ロック受けの上向き係止爪
４４ｂ  ロック受けの係止部材
５１    台座
５２    軸
５３    係止爪
５４    ロック受け
５４ａ  上向き係止爪
１４１  台座
１４１ａ  台座の係止部材
１４３    ロック部
１４３ａ  つまみ部
１４３ｂ  補助ロックの係止爪
１５１    台座
１５１ａ  台座の係止部材
１５２    軸
１５３    係止爪
１５３ａ  つまみ部
１５４    ロック受け
１５４ａ  上向き係止爪
２５１    台座
２５２    軸
２５３    係止爪
２５３ａ  つまみ部
２５４    ロック受け
２５４ａ  ロック受けの上向き係止爪
【図１】
2005344399.tif 000003
【図２】
2005344399.tif 000004
【図３】
2005344399.tif 000005
【図４】
2005344399.tif 000006
【図５】
2005344399.tif 000007
【図６】
2005344399.tif 000008
【図７】
2005344399.tif 000009
【図８】
2005344399.tif 000010
【図９】
2005344399.tif 000011
【図１０】
2005344399.tif 000012
【図１１】
2005344399.tif 000013
【図１２】
2005344399.tif 000014
【図１３】
2005344399.tif 000015
【図１４】
2005344399.tif 000016